(57)【要約】【課題】天板に設ける開口の縁を滑らかな切り口にする。【解決手段】天板５の蓋１９となる部位を切断してこの天板５に開口２３を設けるようにした紙箱１において、蓋１９が、その外面に形成された外面半切り線２０と、この外面半切り線２０よりも内側の蓋内面に形成された内面半切り線２１とにおける層間剥離を利用して開封可能にした。【効果】従来の開口にギザギザができるミシン目や開封ジッパーとは全く違って、滑らかな直線となり、非常に見栄えが良い上に、内容物を開口の縁に引っ掛けたりすることなく取り出せるから、特に衛生綿などの傷付き易い布製品を収納した場合、その布製品を取り出す際に、布製品やその外装を不必要に傷めるおそれがなくなった。【選択図】      図１
2006089070.tif 000002
【特許請求の範囲】
【請求項１】
天板の蓋となる部位を切断してこの天板に開口を設けるようにした紙箱において、蓋が、
その外面に形成された外面半切り線と、この外面半切り線よりも内側の蓋内面に形成され
た内面半切り線とにおける層間剥離を利用して開封可能となっていることを特徴とする紙
箱。
【請求項２】
蓋とその先端に一体に連なる開封片とが備わっていて、天板の蓋となる部位を切断してこ
の天板に開口を設け、また開封片となる部位を前板を切断して形成する紙箱において、蓋
が、その外面に形成された外面半切り線と、この外面半切り線よりも内側の蓋内面に形成
された内面半切り線とにおける層間剥離を利用して開封可能となっているとともに、開封
片は前板に対してミシン目あるいは開封ジッパーによる切離手段によって切断可能となっ
ていて、この切離手段が前記外面半切り線に連なっていることを特徴とする紙箱。
【請求項３】
外面半切り線は、天板と前板の境界を超えて前板にまで至って切離手段に連なっている請
求項２記載の紙箱。
【発明の詳細な説明】
【技術分野】
【０００１】
本発明は、商品収納用の紙箱、更に詳しくは、天板に折り線を軸として起伏する蓋を設
けて開口を形成し、この開口から内容物を取り出すようにした紙箱、特に布製品などの傷
付き易い商品を収納するのに好適な紙箱に関する。
【背景技術】
【０００２】
この種紙箱を開封するための開封手段としては、ミシン目や開封ジッパーなどいろいろ
であるが、一般的には、加工の容易性や効率性を考慮して、どれか単一のパターンで対応
している。
【特許文献１】特開平１０−１８１７３９号公報
【特許文献２】実用新案登録第２５８０６７０号公報
【特許文献３】実公平６−２１８５４号公報
【発明の開示】
【発明が解決しようとする課題】
【０００３】
しかし、この種従来の紙箱に採用された手段では、それがミシン目であるにしても開封
ジッパーであるにしても、いずれにしても開封を行った際、その切断縁がギザギザになる
。その結果、非常に見栄えが悪い上に、特に布製品などの傷付き易い商品を収納した場合
、その商品が取り出される際に、このギザギザの切断縁に商品が引っ掛かり、商品を直接
に傷めたり、外装を破ったりして内装商品を損傷するなどのおそれがあった。
【０００４】
本発明者等は、この従来の問題点を解決すべく、種々検討を重ねた。
その結果、従来のミシン目あるいは開封ジッパーは易開封性であり、また、開封の確実
性を高める点で優れていることに着目し、併せて紙箱の開口には商品を傷めるおそれのな
いカット手法を採用するようにしてみたところ、所期の好ましい開封と商品取出しが行え
たので、ここに提案する。
【０００５】
したがって、本発明の第１の課題は、蓋を天板から切断分離して設ける開口の縁を滑ら
かな切り口にすることである。また、第２の課題は、この第１の課題に加えて、蓋となる
部位を破って天板に開口を設けるに際し、蓋となる部位の破り始めが確実になるようにす
ることである。
【課題を解決するための手段】
【０００６】
以上の技術的な課題を解決するために、本発明の請求項１記載の紙箱は、天板の蓋とな
る部位を切断してこの天板に開口を設けるようにした紙箱において、蓋が、その外面に形
成された外面半切り線と、この外面半切り線よりも内側の蓋内面に形成された内面半切り
線とにおける層間剥離を利用して開封可能となっている。
【０００７】
この紙箱では、天板から蓋を引き剥がすようにすると、蓋の外面に形成した外面半切り
線とこれよりも内側で蓋内面に形成された内面半切り線との層間剥離によってこの天板に
内容物を取り出す開口が形成される。開口の縁は、従来のギザギザができるミシン目や開
封ジッパーとは全く違って、滑らかな直線となり、内容物を開口の縁に引っ掛けたりする
ことなく取り出せる。
【発明の効果】
【０００８】
したがって、この発明は以下の効果を奏する。
以上説明したように、本発明の紙箱は、従来の開口にギザギザができるミシン目や開封
ジッパーとは全く違って、滑らかな直線となり、非常に見栄えが良い上に、内容物を開口
の縁に引っ掛けたりすることなく取り出せるから、特に衛生綿などの傷付き易い布製品を
収納した場合、その布製品を取り出す際に、布製品やその外装を不必要に傷めるおそれが
なくなった。
【０００９】
また、請求項２に記載された発明は、蓋とその先端に一体に連なる開封片とが備わって
いて、天板の蓋となる部位を切断してこの天板に開口を設け、また開封片となる部位を前
板を切断して形成する紙箱において、蓋が、その外面に形成された外面半切り線と、この
外面半切り線よりも内側の蓋内面に形成された内面半切り線とにおける層間剥離を利用し
て開封可能となっているとともに、開封片は前板に対してミシン目あるいはジッパーによ
って切断可能となっていて、この切離手段が前記外面半切り線に連なっている。
【００１０】
開封片の切離手段として、ミシン目や開封ジッパーを採用しているので、開封片を簡単
に前板から切離でき、開封のスタート性を良くし、容易な開封を可能にできる。しかも、
前記請求項１に記載された発明と同様に、非常に見栄えが良い上に、内容物を開口の縁に
引っ掛けたりすることなく取り出せるから、特に衛生綿などの傷付き易い布製品を収納し
た場合、その布製品を取り出す際に、布製品やその外装を不必要に傷めるおそれをなくす
ことができる。
【００１１】
請求項２に係る紙箱において、請求項３に記載されたように、外面半切り線は、天板と
前板の境界を超えて前板にまで至って切離手段に連なっているのが望ましい。
外面半切り線と内面半切り線との層間剥離のスタート性がより一層良好になり、一層容
易な開封を可能にするからである。
【発明を実施するための最良の形態】
【００１２】
天板に設ける開口の縁を滑らかな切り口にするという目的を、天板に対して蓋が、その
外面に形成された外面半切り線と、この外面半切り線よりも内側の蓋内面に形成された内
面半切り線とにおける層間剥離を利用して開封可能とするようにした。
【００１３】
以下、この発明の紙箱を、衛生綿の収納箱に適用した場合の実施の形態について、図面
に従って、詳細に説明する。
【実施例１】
【００１４】
本発明の紙箱１は、図２のブランク板で示すように、底板２の一方の長辺側に折り線Ｌ
１を介して下重ね前板３が連設され、他方の長辺側に折り線Ｌ２を介して後板４が連設さ
れるとともに、この後板４には折り線Ｌ３を介して天板５が連設され、この天板５には更
に折り線Ｌ４を介して上重ね前板６が連設されている。そして、この天板５の短辺側には
、折り線Ｌ５，Ｌ６を介して上重ね側板７，８が、また、底板２の短辺側には折り線Ｌ７
，Ｌ８を介して下重ね側板９，１０がそれぞれ連設されているとともに、前記後板４と上
重ね前板６の短辺側には、それぞれ折り線Ｌ９，Ｌ１０，Ｌ１１，Ｌ１２を介してサイド
フラップ１１，１２，１３，１４が連設されている。
【００１５】
前記上重ね前板６のほぼ中央部には、開封片１５がミシン目や開封ジッパーなどの切離
手段１６，１７（図例ではミシン目が採用されている）によって形成されている。また、
この開封片１５に引き続いた天板５には、内外面に設けられた二重半切り線１８によって
、この天板１５と切離される蓋１９が一体に連なるようにして設けられている。
【００１６】
前記切離手段１６，１７は、図示するように、開封片１５の両サイド部分の二箇所のみ
が上重ね前板６と連なり、他の部位は全切刃によって全切り線で構成される。開封ジッパ
ーを採用するに当たっても基本的には同じ構成が採用される。開封片１５の上重ね前板６
からの切離を容易にするためである。
【００１７】
また、蓋１９は、図２に示すように、外面に形成された左右一対の外面半切り線２０と
、この外面半切り線２０に対して一定の幅を有して内面に形成された左右一対の内面半切
り線２１を備えた前記二重半切り線１８を有する。図３（Ａ）に示すように、外面半切り
線２０は、蓋１９の外面からこの蓋１９を貫通しない深さで切り込まれた切り込み線で、
また、内面半切り線２１は、蓋１９の内面から蓋を１９を貫通しない深さで切り込まれた
切り込み線である。
【００１８】
この外面半切り線２０は、図２に示すように、前記開封片１５の一側と他側から、それ
ぞれ天板５の左右両サイド近傍に沿って、この天板５の後端縁、つまり後板４との折り線
Ｌ３に至るまで、中間部分を左右に張り出す部分円弧の形態で、当該蓋１９の外縁部を巡
って設けられている。更に、この左右の外面半切り線２０は、図示するように、それぞれ
前記開封片１５の左右の切離手段１６，１７に連なって設けられている。
【００１９】
また、内面半切り線２１は、それぞれ天板５の左右両サイド近傍に沿って、この天板５
の前端縁から後端縁、つまり上重ね前板６との折り線Ｌ４から後板４との折り線Ｌ３に至
るまで、中間部分を左右に張り出す部分円弧の形態で、当該蓋１９の外縁部を巡って設け
られている。ただこの内面半切り線２１は、上記外面半切り線２０より内側で、つまりは
、紙箱１の内側に位置している。
【００２０】
外面半切り線２０と内面半切り線２１の切り込み深さは、不用意な開封防止と、両者間
で層間剥離を働かせる必要性から、それぞれ蓋１９の全体厚みの１／４〜３／４の範囲で
、両者の切り込み深さの合計が蓋の全体厚みより大きいことが好ましい。また、外面半切
り線２０と内面半切り線２１の幅（間隔）は、同様の観点から、２〜７ｍｍ程度であるこ
とが望ましい。
【００２１】
また、前記下重ね前板３のほぼ中央には、前記開封片１５が嵌入する切込み２２が穿設
されていて、一旦開封した紙箱１を再度封止することができる
【００２２】
本発明に係る紙箱１の材質はコートボールや板紙などの厚紙類が望ましい。
【００２３】
紙箱１を形成するには、折り線Ｌ１，Ｌ２，Ｌ３，Ｌ４に沿って、それぞれ下重ね前板
３、底板２、後板４、天板５、上重ね前板６を折り曲げて、下重ね前板３に上重ね前板６
をホットメルトなどの接着剤で接着する。この後、衛生綿などの内容物が充填される。次
いで、サイドフラップ１１〜１４を折り線Ｌ９〜Ｌ１２に沿って折り曲げた後、折り線Ｌ
７，Ｌ８に沿って下重ね側板９，１０を折り曲げ、次いで折り線Ｌ５，Ｌ６に沿って上重
ね側板７，８を折り曲げて、下重ね側板９，１０にこれら上重ね側板７，８をホットメル
トなどの接着剤で接着する（図１，図４参照）。
【００２４】
紙箱１を開封するには、上重ね前板６に設けられた開封片１５を手指で摘んで上方に引
き上げ、切離手段１６，１７を切り開く。引き続いて開封片１５を上方に引き上げ続ける
と、蓋１９を構成する紙を外面半切り線２０と内面半切り線２１間で層間剥離させること
ができる。この層間剥離は天板５と後板４との折り線Ｌ３にまで至り、開封され、天板５
に開口２３が形成される〔図１、図３（Ｂ〕〕。図中Ａは層間剥離領域である。
【００２５】
そして、この開口２３の左右の縁２４は、層間剥離によって形成されるたものであるか
ら、従来のミシン目や開封ジッパーによる場合のギザギザのある縁とは全く異なり、滑ら
かな直線の縁が得られる。したがって、非常に見栄えが良い上に、特に衛生綿などの傷付
き易い布製品を収納した場合、その布製品を取り出す際に、布製品やその外装を不必要に
傷めるおそれがなくなった。
【００２６】
また、開封片１５の切離手段１６，１７として、ミシン目や開封ジッパーを採用してい
るので、開封片１５を簡単に上重ね前板６から切離でき、開封のスタート性を良くし、容
易な開封を可能にできる。
【実施例２】
【００２７】
本発明の第２の実施例は、図５に示すように、二重半切り線１８を、天板５から更に上
重ね前板６にまで延設したものである。
なお、第１の実施例と同じ構成は、同じ符号を付してその詳細な説明は省略する。
【００２８】
具体的には、外面半切り線２０と内面半切り線２１を天板５と上重ね前板６との折り線
Ｌ４を越えて更に上重ね前板６の上部にまで延設してある。外面半切り線２０の先端は言
うまでもなく前記切離手段１６，１７に一連に連ねて設けられる。
【００２９】
このように構成することによって、外面半切り線２０と内面半切り線２１との層間剥離
のスタート性がより一層良好になり、一層容易な開封が可能になる。
【図面の簡単な説明】
【００３０】
【図１】本発明に係る紙箱を開封した様子を示す全体斜視図である。
【図２】本発明に係る紙箱のブランク板を示す展開図である。
【図３】本発明に係る紙箱の半切り二重線部分の拡大断面図で、（Ａ）は開封前の状態を示し、（Ｂ）は開封後の状態を示す。
【図４】本発明に係る紙箱の開封前の様子を示す全体斜視図である。
【図５】本発明に係る紙箱の第２の実施例を示したブランク板の展開図である。
【符号の説明】
【００３１】
１…紙箱
５…天板
１５…開封片
１６，１７…切離手段
１８…二重半切り線
１９…蓋
２０…外面半切り線
２１…内面半切り線
２３…開口
２４…開口の縁
Ａ…層間剥離領域
【図１】
2006089070.tif 000003
【図２】
2006089070.tif 000004
【図３】
2006089070.tif 000005
【図４】
2006089070.tif 000006
【図５】
2006089070.tif 000007